(57)【要約】  本発明は、電池モジュールに関し、前記電池モジュールは1つ以上の電池セル単位体を含み、前記電池セル単位体は電池セル、前記電池セルの外周面を囲んで位置する固定部材、また前記電池セルと固定部材との間に位置する吸熱材を含むことにより、電池モジュールの内部での熱の発生が抑制され、また、シリーズで連結された電池セル単位体の間の発火が抑制され得る。これにより、電池モジュールの爆発及び発火に対する恐れなく、優れた充放電性能、電池のサイクル特性及び寿命特性を示すことができる。
2016533022.tif 000002
【特許請求の範囲】
【請求項１】
電池モジュールであって、
１以上の電池セル単位体を備えてなり、
前記電池セル単位体が、電池セル、前記電池セルの外周面を囲んで位置する固定部材、及び、前記電池セルと前記固定部材との間に位置する吸熱材を備えてなるものである、電池モジュール。
【請求項２】
前記電池モジュールが２以上の電池セル単位体を備えてなり、
前記電池セル単位体が、隣接する電池セル単位体と互いに対面する面の間に吸熱材をさらに備えてなるものである、請求項１に記載の電池モジュール。
【請求項３】
前記電池モジュールが２以上の電池セル単位体を備えてなり、
前記電池セル単位体が、隣接する電池セル単位体と互いに対面する面の間に吸熱材を介在した状態で互いに接触しているものである、請求項１に記載の電池モジュール。
【請求項４】
前記電池セルが板状電池セルであり、
前記電池モジュールが、２以上の電池セル単位体を備えてなり、
前記板状電池セルの一方の面又は両面が、隣接する電池セル単位体での電池セルに対面するように積層配置されているものである、請求項１に記載の電池モジュール。
【請求項５】
前記板状電池セルが、樹脂層及び金属層が順次積層されたラミネートシートのケース及び前記ケース内に内蔵された電極組立体を備えてなり、
前記ケースの外周面が、密封されたパウチ型電池セルである、請求項４に記載の電池モジュール。
【請求項６】
前記密封されたパウチ型電池セルの外周面を囲むように前記固定部材が一体に結合されている、請求項５に記載の電池モジュール。
【請求項７】
前記電池セルの外周面の一方の側に正極端子及び負極端子が突出されているか、又は前記電池セルの外周面の一方の側に正極端子が突出しており、その対向側に負極端子が突出している、請求項１に記載の電池モジュール。
【請求項８】
前記正極端子及び前記負極端子を除いた電池セルの外周面全部に前記固定部材が一体に結合されている、請求項７に記載の電池モジュール。
【請求項９】
前記固定部材が、ゴム又はプラスチックを含むものである、請求項１に記載の電池モジュール。
【請求項１０】
前記固定部材が、シリコーン系樹脂又は熱可塑性ポリウレタンを含むものである、請求項１に記載の電池モジュール。
【請求項１１】
前記吸熱材が、水及びシリカを含むものである、請求項１に記載の電池モジュール。
【請求項１２】
前記吸熱材が、７５重量％から９５重量％の水、及び
５重量％から２５重量％のシリカを含んでなる、請求項１１に記載の電池モジュール。
【請求項１３】
前記シリカが、石英（Quartz）、トリディマイト（Tridymite）、及びクリストバライト（Cristobalite）からなる群から選択される一種以上のものを含んでなる、請求項１１に記載の電池モジュール。
【請求項１４】
前記電池セルがリチウム二次電池である、請求項１に記載の電池モジュール。
【請求項１５】
単位モジュールとして、請求項１〜１４の何れか一項に記載の電池モジュールを備えてなる、電池パック。
【請求項１６】
請求項１５に記載の電池パックを備えてなる、デバイス。
【請求項１７】
前記デバイスが、電気自動車、ハイブリッド電気自動車、プラグインハイブリッド電気自動車、及び電力貯蔵装置からなる群から選択されるものである、請求項１６に記載のデバイス。
【発明の詳細な説明】
【技術分野】
【０００１】
本発明は、電池モジュール内部での熱の発生を抑制し、電池の寿命特性、サイクル特性及び充放電性能を向上させることができる電池モジュールに関する。
【背景技術】
【０００２】
最近、充放電が可能な二次電池は、ワイヤレスモバイル機器のエネルギー源として広く用いられている。また、二次電池は、化石燃料を用いる既存のガソリン車両またはディーゼル車両などの大気汚染の問題を解決するための方案として提示されている電気自動車、ハイブリッド電気自動車などのエネルギー源としても注目されている。これ以外の二次電池の多様な長所により、二次電池を用いるアプリケーションの種類は非常に多様化されており、今後は現在よりさらに多様な分野の製品に二次電池が適用されるものと予想される。
【０００３】
二次電池は、それが適用される分野または製品等で求められる出力と容量に応じて他の構成を有している。たとえば、携帯電話、PDA、デジタルカメラ、ノートブックコンピュータなどのような小型モバイル機器は、当該製品の小型化、軽量化及び薄膜化の傾向に伴い、それに相応するようデバイス1台当たりに1個または2、3個のバッテリーセルを含んでいる小型電池パックが用いられている。一方、電気自転車、電気自動車またはハイブリッド電気自動車などのような中大型デバイスは、高出力大容量の必要性のため、多数のバッテリーセルを電気的に連結した中大型電池パックが用いられている。電池パックのサイズと重量は、当該中大型デバイスなどの収容空間及び出力などに直接的な関連性があるため、製造企業はできるだけ小型でありながら軽量の電池パックを製造するため努力している。電池パックのバッテリーセルとしては、ニッケル水素二次電池が多く用いられてきたが、最近は、容量対比高出力を提供するリチウム二次電池が多く研究されており、一部は商用化されている。
【０００４】
しかし、リチウム二次電池は、根本的に安全性が低いとの問題点を有している。具体的に、リチウム二次電池の充放電時に多量の熱が電池パック内で発生する。その中でもバッテリーセル、特に、電極端子またはコネクタなどの電気的部位で多量の熱が発生する。さらに、電極端子またはコネクタなどは、電気的な連結構成で絶縁性が求められる場合が多いので、絶縁性部材に支持されるか、絶縁性部材が特定の構造で挿入されている場合が多い。これにより、電極端子またはコネクタから発生した熱が効果的に発散できず、蓄積される傾向がある。その結果、電極端子またはコネクタなどにおける変形が誘発され、最終的に電池パックの抵抗の変化をもたらすことになる。
【０００５】
このような抵抗の変化は、電池パックの動作状態と安全性を悪化させるので、これを抑制することが必要である。特に、多数のバッテリーセルを用いる中大型電池パックと、バッテリーセルとしてリチウム二次電池を用いる電池パックの場合において、熱の蓄積は安全性の側面で深刻であり得る。したがって、このような問題点を根本的に解決することができる技術に対する必要性が高い実情である。
【発明の概要】
【発明が解決しようとする課題】
【０００６】
本発明は、前記のような問題点を解決するためのものであって、電池モジュールの内部で発生する熱を吸収して電池モジュール内の温度上昇を抑制し、また、シリーズで連結された電池セル単位体等の間の発火を防止し、電池の寿命特性、サイクル特性及び充放電性能を向上させることができる電池モジュールを提供することを技術的課題とする。
【課題を解決するための手段】
【０００７】
前記解決しようとする課題を達成するため、本発明の一実施形態によれば、1以上の電池セル単位体を含み、前記電池セル単位体は電池セル、前記電池セルの外周面を囲んで位置する固定部材、また前記電池セルと固定部材との間に位置する吸熱材を含む電池モジュールを提供する。
本発明の他の一実施形態によれば、前記電池モジュールを単位モジュールとして含む電池パックを提供する。
本発明のさらに他の一実施形態によれば、前記電池パックを含むデバイスを提供する。
【発明の効果】
【０００８】
本発明に係る電池モジュールは、電池セルと、前記電池セルの外周面を囲んで位置する固定部材とを含む電池セル単位体において、前記電池セルと固定部材との間に吸熱材を含むことにより、電池モジュールの内部で発生する熱を吸収するようにして電池モジュール内の温度上昇が抑制され、また、シリーズで連結された電池セル単位体等の間の発火の発生が防止され得る。これに伴い、電池モジュールの爆発及び発火に対する恐れなく、優れた充放電性能、電池のサイクル特性及び寿命特性を示すことができる。
【図面の簡単な説明】
【０００９】
本明細書の次の図面等は、本発明の好ましい実施形態を例示するものであり、前述した発明の内容と共に、本発明の技術思想をさらに理解させる役割を果たすものなので、本発明は、そのような図面に記載された事項にのみ限定されて解釈されてはならない。
【図１】本発明の一実施形態に係る電池モジュールの斜視図である。
【図２】図1の電池モジュール内に含まれた一電池セル単位体の斜視図である。
【図３】本発明の一実施形態に係る電池モジュールに含まれる電池セルの斜視図である。
【図４】図3の分解斜視図である。
【図５】比較例の釘刺し試験（nail test）の結果を示すグラフである。
【図６】実施例1の釘刺し試験の結果を示すグラフである。
【発明を実施するための形態】
【００１０】
以下、本発明の属する技術分野で通常の知識を有する者が容易に実施できるよう、本発明の実施形態について図面を参考にしながら詳しく説明する。しかし、本発明は、多様な相違する形態に具現されてよく、ここで説明する実施形態に限られない。
【００１１】
本発明の一実施形態に係る電池モジュールは、1以上の電池セル単位体を含み、前記電池セル単位体は、電池セル、前記電池セルの外周面を囲んで位置する固定部材、さらに前記電池セルと固定部材との間に位置する吸熱材を含む。
【００１２】
通常、電池セルの外周面と固定部材との間の微細間隙を介して電池セル単位体内から発生した熱が主に放出することになる。これに対し、本発明では、前記電池セルの外周面と固定部材との間に吸熱材を位置させることにより、電池セル単位体内から発生する熱を効果的に吸収し、電池モジュール内の温度上昇を抑制することができる。また、前記のような位置での吸熱材の形成で、電池セル単位体の全面、または隣接した電池セル単位セルとの界面層に吸熱材を位置させる場合と比べて、吸熱材の使用量を最少化するとともに優れた熱吸収効率を得ることができる。また、前記のように吸熱材は、電池モジュール内に発生する熱を吸収することにより、電池モジュール内に発生した高温の熱により正極または負極物質が化学反応を起こすことによって電池が発火または爆発することを防止することができ、シリーズで連結された電池セル単位体等の間の発火を防止することができる。
【００１３】
図1は、本発明の一実施形態に係る電池モジュールの斜視図であり、図2は、前記電池モジュール内に含まれた一電池セル単位体の斜視図である。図1及び図2は、本発明を説明するための一例であるだけで、本発明がこれらに限られるものではない。また、図1では、説明の便宜のため、一般に電池モジュールに含まれるハウジング、ケーブル及び保護回路などは省略した。
【００１４】
以下、図1及び図2を参照して説明すると、本発明の一実施形態に係る電池モジュール200は、第1電池セル単位体301、第2電池セル単位体302などのように、1以上、あるいは2以上の電池セル単位体300を含む。また、前記電池モジュール200が2以上の電池セル単位体を含む場合、それぞれの電池セル単位体は順次積層された積層構造を形成して含まれ得る。
【００１５】
一方、前記電池モジュール200において、電池セル単位体300は、電池セル100、前記電池セルの外周面を囲んで位置する固定部材210、また前記電池セルと固定部材との間に位置する吸熱材220を含む。
【００１６】
前記電池セル単位体300において、電池セル100は、電池モジュールまたは電池パックの構成時に、高電圧及び高電流を提供することができる電池であれば特別な制限はなく、例えば、体積当たりのエネルギー貯蔵量が大きいリチウム二次電池であり得る。
【００１７】
また、前記電池セル100は、限られた空間で高い積層率を提供する板状電池セルであってよく、前記電池モジュール200が2以上の電池セル単位体を含む場合、前記板状電池セルの一方の面または両面が隣接した電池セル単位体での電池セルに対面するように積層して配列されてよい。
【００１８】
また、前記板状電池セルは、樹脂層と金属層を含むラミネートシートのケース、及び前記ケース内に内蔵される電極組立体を含み、前記ケースの外周面が熱融着などにより密封されるパウチ型電池セルであり得る。
【００１９】
より具体的に、前記電池セル100は、正極/分離膜/負極構造の電極組立体が電解液と共に電池ケースの内部に密封されているパウチ型電池セルであって、全体的に幅対比厚さが薄い略直方体構造である板状からなっていてよい。このようなパウチ型電池セルは、一般にパウチ型電池ケースからなっており、前記電池ケースは、耐久性に優れた高分子樹脂からなる外部被覆層;水分、空気などに対して遮断性を発揮する金属材料からなる遮断層;及び熱融着され得る高分子樹脂からなる内部シーラント層が順次積層されているラミネートシート構造でなり得る。
【００２０】
また、前記電池セル100がパウチ型電池セルである場合、前記電池セル100は、パウチ型電池セルの熱融着密封された外周面を囲むように一体に結合された固定部材210により固定されてよい。
【００２１】
図3は、本発明の一実施形態に係る電池モジュールに取り付けられる電池セルの斜視図であり、図4は、図3の分解斜視図である。図3及び図4は、本発明を説明するための一例であるだけで、本発明が図3及び図4に提示された構造に限られるものではない。
【００２２】
以下、図3及び図4を参照して説明すると、電池セル100は、具体的にパウチ型電池ケース110の内部に、正極、負極及びこれらの間に配置される分離膜からなる電極組立体120が、その正極及び負極タブ122、124と電気的に連結される二つの電極端子132、134が外部へ露出されるように密封されている構造となっている。
【００２３】
前記電池セル100において、電池ケース110は、電極組立体120が安着され得る凹形状の収納部112を含む上部ケース114及び下部ケース116からなっている。
【００２４】
また、前記電池セル100において、電極組立体120は、正極、負極及びこれらの間に配置される分離膜を含む積層構造体をフォールディング（folding）、スタック（stacking）またはスタック/フォールディング（stack and folding ）したフォールディング型、スタック型またはスタック/フォールディング型の構造を有することができる。
【００２５】
また、前記電極組立体120は、多数の正極タブ122と多数の負極タブ124がそれぞれ融着されて電極端子132、134に共に結合されている。また、前記電池ケース110の上部ケース114及び下部ケース116の外周面が熱融着機により熱融着される時、かかる熱融着機と電極端子132、134との間にショートが発生することを防止し、電極端子132、134と電池ケース110との密封性を確保するため、電極端子132、134の上、下面に絶縁フィルム140をさらに含むこともできる。
【００２６】
また、前記電池セル100は、外周面の一方の側に正極端子及び負極端子が突出されているか、または外周面の一方の側に正極端子が突出されており、対向側に負極端子が突出されている構造であり得る。このとき、前記電池セル100は、正極端子及び負極端子を除いた外周面の全部に固定部材210が一体に結合される構造であり得る。
一方、前記電池セル単位体200において、図1及び図2に示すように、前記電池セル100の外周面には固定部材210が位置する。
【００２７】
前記固定部材210は、電池セル100の外周面の一部または全部と一体に結合されて電池セル100を固定する役割を担う。前記固定部材210の素材は特に限定されず、例えば、ゴムまたはプラスチックからなり得る。さらに詳しくは、弾性素材である熱可塑性ポリウレタン（TPU：Thermo Plastic Polyurethane）またはシリコーン系樹脂などで形成され得る。このような弾性を有した素材からなる固定部材210は、電池セル100を固定しながら、無理な圧力を加えることなく電池セル100を正確に固定し、外力及び振動の印加時にも衝撃を吸収することにより電池セル100の安定性を向上させることができる。
【００２８】
また、前記電池セル100の外周面の一部または全部と前記固定部材210との結合は、組立て、接着、成形などの多様な方法でなされてよく、より具体的には、インサート射出成形により一体に結合されている構造であり得る。すなわち、電池セル100の外周面が固定部材210とインサート射出成形により結合されることにより、電池セル100が固定部材210に安定的に付着され得る。
また、前記電池セル単位体200において、前記電池セル100の外周面と固定部材210との間には吸熱材220が位置する。
【００２９】
具体的に、前記吸熱材220は、電池セル100の外周面と固定部材210とが接触した面の少なくとも一部に形成されてよく、より具体的には、電池セル100の外周面と固定部材210とが接触した全体面に形成されてもよい。
【００３０】
また、前記電池モジュールが2以上の電池セル単位体を含む場合、前記吸熱材220は、電池セル100の外周面と固定部材210とが接触した面だけでなく、電池セル単位体の積層構造において、電池セル単位体の間、すなわち、1つの電池セル単位体が隣接する電池セル単位体と互いに対面する面の間に選択的にさらに含まれてもよい。具体的に、前記第1電池セル単位体301と第2電池セル単位体302との間に吸熱材220が含まれてよい。
【００３１】
また、前記電池モジュールが2以上の電池セル単位体を含み、前記電池セル単位体と隣接する電池セル単位体の対面する面は、吸熱材が介在された状態で互いに接触されていてもよい。すなわち、前記電池セル単位体が隣接する電池セル単位体と互いに対面する面の間に吸熱材を介在した状態で互いに接触していてよい。
【００３２】
このように電池セル単位体300が、前記電池セル100の外周面と固定部材210とが接触した面の少なくとも一部、及び前記第1電池セル単位体301と第2電池セル単位体302の対面する面などの間に吸熱材220を含むことにより、シリーズで連結された電池セル単位体301、302の間の更なる発火を抑制することができ、電池モジュール200の内部に発生する熱を吸収して電池モジュール200内の温度上昇を抑制することができる。その結果として電池モジュール200の爆発及び発火を防止することができ、電池の充放電性能、電池のサイクル特性及び寿命特性をさらに向上させることができる。
具体的に、前記吸熱材220は水（H2O）及びシリカを含む。
前記水は、不純物を含まない純粋な水が副反応の恐れがないので好ましい。
【００３３】
また、前記水は、吸熱材内に75から95重量％で含まれてよい。吸熱材内の水の含量が75重量％未満の場合、相対的にシリカの含量が増加し、却って吸熱性が減少することがある。また、水の含量が95重量％を超える場合、相対的にシリカの含量が減少して吸熱性が減少することがある。吸熱材内の水の含有に伴う改善効果の顕著さを考慮すると、前記純粋な水は80から90重量％で含まれるのが好ましい。
【００３４】
一方、前記吸熱材において、シリカ（SiO2）は、多様な吸熱性無機物の中でもそれ自体で高い熱安定性を示すだけでなく、より優れた吸熱性を示す物質である。前記シリカは、結晶質または非晶質であってよく、また、結晶質と非晶質シリカが混合されているものであってもよい。さらに、前記結晶質シリカとしては、具体的に、より高い熱安定性を有する石英（Quartz）、トリディマイト（Tridymite）またはクリストバライト（Cristobalite）などのような同質異像体（polymorphism）を挙げることができ、これらのうちいずれか一つまたは二つ以上の混合物が用いられ得る。
【００３５】
前記シリカは、吸熱材の総重量に対して5から25重量％で含まれてよい。シリカの含量が5重量％未満の場合、シリカの含量が少なすぎて吸熱性が減少することがあり、吸熱材の役割を十分行うことができないことがある。25重量％を超える場合、却って吸熱性が減少することがある。吸熱材内のシリカの含有に伴う改善効果の顕著さを考慮すると、前記シリカは、より具体的に10から20重量％で含まれてよい。
【００３６】
本発明の他の一実施形態によれば、前記電池モジュール200を単位モジュールとして含む電池パックが提供される。
前記電池パックは、所望の出力及び容量に応じ、単位モジュールとして前記電池モジュールを組み合わせて製造されてよい。前記電池パックは、取付けの効率性及び構造的安定性などを考慮すると、電気自動車、ハイブリッド電気自動車、プラグインハイブリッド電気自動車、電力貯蔵装置などの電源として用いられてよいが、適用範囲がこれらのみに限られるものではない。
【００３７】
本発明のさらに他の一実施形態によれば、前記電池パックを電源として用いるデバイスが提供される。
前記デバイスは具体的に、電気自動車、ハイブリッド電気自動車、プラグインハイブリッド電気自動車または電力貯蔵装置であり得る。このようなデバイスの構造及び製作方法は当業界に公知となっているので、本明細書ではそれに対する詳しい説明を省略する。
【００３８】
以下、実施例を介して本発明をより具体的に説明する。しかし、下記実施例は、本発明の理解を助けるためのものであるだけで、如何なる意味であっても本発明の範囲がこれらの実施例に限られるものではない。
【００３９】
［実施例１：電池モジュールの製造］
図1から図4でのような構造を有する電池モジュールを製造した。
詳しくは、負極活物質として、人造黒鉛97重量％、カルボキシメチルセルロース（CMC）1.5重量％、スチレン-ブタジエンゴム（SBR）バインダー1.5重量％を、水とエタノールの混合溶媒（水とエタノールの混合体積比=90：10）に添加して水系負極スラリーを製造した後、銅（Cu）箔上にコーティングし、乾燥し、圧延して負極を製造した。
【００４０】
また、正極活物質としてLiCoO2 95重量％、及びSuper-P（導電材）3重量％、及びSBRバインダー2重量％を、水とエタノールの混合溶媒（水とエタノールの混合体積比=90：10）に添加して正極スラリーを製造した後、アルミ箔上にコーティングし、乾燥し、圧延して正極を製造した。
【００４１】
前記製造された正極と負極との間にポリオレフィン分離膜を介在させて電極集電体を製造した後、パウチに入れて密封し、前記パウチ内に電解液を注入して電池セル100を製造した。この際、電解液としては、1M LiPF6含有エチレンカーボネート（EC）/エチルメチルカーボネート（EMC）系溶液（EC/EMC混合重量比=2：8）を用いた。
【００４２】
前記製造された電池セル100の外周面を囲むように水とシリカを80：20の混合重量比で含む吸熱材220を塗布した後、プラスチックの固定部材を結合させて電池セル単位体300を製造した。このような電池セル単位体300を6つ積層（Cell ＃1、2、3、4、5、6）して電池モジュール200を製造した。
【００４３】
［実施例２：電池モジュールの製造］
電池セル単位体を3つ積層することを除き、前記実施例1と同一の方法で行って電池モジュールを製造した。
【００４４】
［実施例３：電池モジュールの製造］
電池セル単位体（Cell ＃1、2、3、4、5、6）の積層時、積層される電池セルの間ごとに吸熱材を塗布し、電池セル単位体が隣接する電池セル単位体と互いに対面する面の間に吸熱材をさらに形成することを除き、前記実施例1と同一の方法で行って電池モジュールを製造した。
【００４５】
［比較例：電池モジュールの製造］
電池セルの外周面に吸熱材を形成せず、電池セル単位体を5つ積層することを除き、前記実施例1と同一の方法で行って電池モジュールを製造した。
【００４６】
［試験例：電池モジュールに対する釘刺し試験］
前記実施例1及び比較例で製造した電池モジュールに対し、釘が3つの電池セル単位体を貫通するようにする釘刺し試験（nail test）を行った。その結果を図5及び図6に示した。
【００４７】
図5は、比較例の電池モジュールに対する釘刺し試験の結果を示したグラフであり、図6は、実施例1の電池モジュールに対する釘刺し試験の結果を示したグラフである。
【００４８】
図5に示すように、吸熱材が塗布されていない比較例の電池モジュールは、釘刺し試験時に釘が貫通した3つの電池セル単位体（Cell ＃1、2、3）だけでなく、釘が貫通した3つの電池セル単位体に隣接する残りの電池セル単位体までも内部から発生した熱の転移で爆発及び発火し、その結果、電池の機能ができなかった。
【００４９】
しかし、図6に示すように、吸熱材が塗布された実施例1の電池モジュールは、釘が貫通した3つの電池セル単位体は電池の機能を失ったが、釘が貫通していない電池セル単位体は、塗布された吸熱材が電池モジュールの内部から発生した熱を吸収して周囲に隣接した電池に熱が伝達されることを遮断することにより、爆発及び発火なく電池の機能を示した。
【００５０】
前記のような試験結果から、本発明の一実施形態に係る電池モジュールは、電池セルの外周面と固定部材とが接触した面の少なくとも一部に吸熱材を含むことにより、前記吸熱材が電池モジュールの内部に発生する熱を吸収し、かつ熱の発生を抑制し、シリーズで連結された電池セル単位体等の間の更なる発火が抑制され、その結果、電池モジュールの爆発及び発火が防止できることが分かる。
【符号の説明】
【００５１】
100  電池セル                   110  パウチ型電池ケース
112  収納部                     114  上部ケース
116  下部ケース                 120  電極組立体
122  正極タブ                   124  負極タブ
132、134  電極端子              140  絶縁フィルム
200  電池モジュール             210  固定部材
220  吸熱材                     300  電池セル単位体
301  第1電池セル単位体          302  第2電池セル単位体
【図１】
2016533022.tif 000003
【図２】
2016533022.tif 000004
【図３】
2016533022.tif 000005
【図４】
2016533022.tif 000006
【図５】
2016533022.tif 000007
【図６】
2016533022.tif 000008
【手続補正書】
【提出日】平成27年8月26日(2015.8.26)
【手続補正１】
【補正対象書類名】特許請求の範囲
【補正対象項目名】全文
【補正方法】変更
【補正の内容】
【特許請求の範囲】
【請求項１】
電池モジュールであって、
１以上の電池セル単位体を備えてなり、
前記電池セル単位体が、電池セル、前記電池セルの外周面を囲んで位置する固定部材、及び、前記電池セルと前記固定部材との間に位置する吸熱材を備えてなるものである、電池モジュール。
【請求項２】
前記電池モジュールが２以上の電池セル単位体を備えてなり、
前記電池セル単位体が、隣接する電池セル単位体と互いに対面する面の間に吸熱材をさらに備えてなるものである、請求項１に記載の電池モジュール。
【請求項３】
前記電池モジュールが２以上の電池セル単位体を備えてなり、
前記電池セル単位体が、隣接する電池セル単位体と互いに対面する面の間に吸熱材を介在した状態で互いに接触しているものである、請求項１に記載の電池モジュール。
【請求項４】
前記電池セルが板状電池セルであり、
前記電池モジュールが２以上の電池セル単位体を備えてなり、
前記板状電池セルの一方の面又は両面が、隣接する電池セル単位体での電池セルに対面するように積層配置されているものである、請求項１に記載の電池モジュール。
【請求項５】
前記板状電池セルが、樹脂層及び金属層が順次積層されたラミネートシートのケース及び前記ケース内に内蔵された電極組立体を備えてなり、
前記ケースの外周面が、密封されたパウチ型電池セルである、請求項４に記載の電池モジュール。
【請求項６】
前記密封されたパウチ型電池セルの外周面を囲むように前記固定部材が一体に結合されている、請求項５に記載の電池モジュール。
【請求項７】
前記電池セルの外周面の一方の側に正極端子及び負極端子が突出されているか、又は前記電池セルの外周面の一方の側に正極端子が突出しており、その対向側に負極端子が突出している、請求項１〜６の何れか一項に記載の電池モジュール。
【請求項８】
前記正極端子及び前記負極端子を除いた電池セルの外周面全部に前記固定部材が一体に結合されている、請求項７に記載の電池モジュール。
【請求項９】
前記固定部材が、ゴム又はプラスチックを含むものである、請求項１〜８の何れか一項に記載の電池モジュール。
【請求項１０】
前記固定部材が、シリコーン系樹脂又は熱可塑性ポリウレタンを含むものである、請求項１〜９の何れか一項に記載の電池モジュール。
【請求項１１】
前記吸熱材が、水及びシリカを含むものである、請求項１〜１０の何れか一項に記載の電池モジュール。
【請求項１２】
前記吸熱材が、７５重量％から９５重量％の水、及び
５重量％から２５重量％のシリカを含んでなる、請求項１１に記載の電池モジュール。
【請求項１３】
前記シリカが、石英（Quartz）、トリディマイト（Tridymite）、及びクリストバライト（Cristobalite）からなる群から選択される一種以上のものを含んでなる、請求項１１又は１２に記載の電池モジュール。
【請求項１４】
前記電池セルがリチウム二次電池である、請求項１〜１３の何れか一項に記載の電池モジュール。
【請求項１５】
単位モジュールとして、請求項１〜１４の何れか一項に記載の電池モジュールを備えてなる、電池パック。
【請求項１６】
請求項１５に記載の電池パックを備えてなる、デバイス。
【請求項１７】
前記デバイスが、電気自動車、ハイブリッド電気自動車、プラグインハイブリッド電気自動車、及び電力貯蔵装置からなる群から選択されるものである、請求項１６に記載のデバイス。
【国際調査報告】
2016533022.tif 000009
2016533022.tif 000010
2016533022.tif 000011
2016533022.tif 000012